【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
補正環を有する対物レンズと、
試料からの光を検出する検出部と、
補正環制御部と、
を有し、
前記補正環制御部は、前記補正環の複数の回転位置それぞれにおいて、予め基準画像を取得したときの、前記試料における前記対物レンズの焦点位置とほぼ同じ位置で複数の画像を取得し、前記回転位置それぞれの前記複数の画像に基づいて、前記回転位置毎の評価値を算出し、算出した複数の前記評価値に基づいて補正環の回転位置を決定し、
前記評価値は、前記複数の画像間の相関値、又は画像処理を施した前記複数の画像間の相関値であり、
前記基準画像とは、前記補正環を任意の位置に設定した状態で、前記焦点位置からの前記光を検出してなる画像である
顕微鏡。
【請求項２】
前記補正環制御部は、前記複数の評価値の最大値に基づいて補正環の回転位置を決定する
請求項１に記載の顕微鏡。
【請求項３】
前記補正環制御部は、前記複数の評価値が最大となる前記補正環の回転位置に基づいて補正環の回転位置を決定する
請求項１に記載の顕微鏡。
【請求項４】
前記補正環制御部は、前記複数の評価値を用いて補間された評価値が最大となる前記補正環の回転位置に基づいて補正環の回転位置を決定する
請求項１に記載の顕微鏡。
【請求項５】
前記補正環制御部は、決定した補正環の回転位置に基づいて、補正環の回転位置を調整する
請求項１〜４のいずれか一項に記載の顕微鏡。
【請求項６】
試料に照明光を照射する照明光学系と、
前記試料からの観察光を検出する検出部と、
前記照明光及び前記観察光の少なくとも一方の収差を補正する収差補正光学系と、
収差補正光学系制御部と、
を有し、
前記収差補正光学系制御部は、前記収差補正光学系の複数の設定状態それぞれにおいて、予め基準画像を取得したときの、前記試料における前記照明光学系の焦点位置とほぼ同じ位置で複数の画像を取得し、前記設定状態それぞれの前記複数の画像に基づいて、前記設定状態毎の評価値を算出し、算出した複数の前記評価値に基づいて収差補正光学系の設定を決定し、
前記評価値は、前記複数の画像間の相関値、又は画像処理を施した前記複数の画像間の相関値であり、
前記基準画像とは、前記設定状態を任意に設定した状態で、前記焦点位置からの前記観察光を検出してなる画像である
顕微鏡。
【請求項７】
前記収差補正光学系は、前記照明光を放射する光源と前記試料との間に設けられる
請求項６に記載の顕微鏡。
【請求項８】
前記収差補正光学系は、前記検出部と前記試料との間に設けられる
請求項６に記載の顕微鏡。
【請求項９】
前記収差補正光学系は、対物レンズに含まれる収差補正レンズであり、
前記設定状態は、前記収差補正レンズの光軸方向の位置である
請求項６〜８のいずれか一項に記載の顕微鏡。
【請求項１０】
前記収差補正光学系は、デフォーマブルミラーであり、前記設定状態は、ミラーの形状である
請求項６〜８のいずれか一項に記載の顕微鏡。
【請求項１１】
前記収差補正光学系は、液晶素子であり、前記設定状態は前記液晶の分布である
請求項６〜８のいずれか一項に記載の顕微鏡。
【請求項１２】
前記収差補正光学系は、位相変調素子であり、前記設定状態は位相変調量である
請求項６〜８のいずれか一項に記載の顕微鏡。
【請求項１３】
共焦点顕微鏡又は多光子励起蛍光顕微鏡である
請求項１〜１２のいずれか一項に記載の顕微鏡。
【請求項１４】
補正環を有する対物レンズと、
試料からの光を検出する検出部と、
補正環制御部と、
を有し、
前記補正環制御部は、
前記補正環の第１〜ｎ（ｎは２以上の整数）の回転位置それぞれにおいて評価値を算出し、前記第ｎの回転位置で前記評価値を算出した後に、前記第１の回転位置で２回目の評価値を算出して、前記第１の回転位置で取得された１回目の評価値と２回目の評価値とに基づいて前記補正環の第２〜ｎの回転位置における評価値を補正する
顕微鏡。
【請求項１５】
前記補正環制御部は、
前記第１の回転位置で２回目の評価値を算出した後、前記補正環の第ｎ＋１〜ｍ（ｍはｎ＋１以上の整数）の回転位置それぞれにおいて評価値を算出した後に、前記第１の回転位置で３回目の前記評価値を算出し、
前記第１の回転位置で取得された１回目の評価値と２回目の評価値とに基づいて前記補正環の第２〜ｎの回転位置の評価値を補正し、
前記第１の回転位置で取得された２回目の評価値と３回目の評価値とに基づいて前記補正環の第ｎ＋１〜ｍの回転位置における評価値を補正する
請求項１４に記載の顕微鏡。
【請求項１６】
試料に照明光を照射する照明光学系と、
前記試料からの観察光を検出する検出部と、
前記照明光及び前記観察光の少なくとも一方の収差を補正する収差補正光学系と、
収差補正光学系制御部と、
を有し、
前記収差補正光学系制御部は、
前記収差補正光学系の第１〜ｎ（ｎは２以上の整数）の設定状態それぞれにおいて評価値を算出し、前記第ｎの設定状態で前記評価値を算出した後に、前記第１の設定状態で２回目の評価値を算出して、前記第１の設定状態で取得された１回目の評価値と２回目の評価値とに基づいて前記収差補正光学系の第２〜ｎの設定状態における評価値を補正する
顕微鏡。
【請求項１７】
前記補正環制御部は、
前記第１の設定状態で２回目の評価値を算出した後、前記収差補正光学系の第ｎ＋１〜ｍ（ｍはｎ＋１以上の整数）の設定状態それぞれにおいて評価値を算出した後に、前記第１の設定状態で３回目の前記評価値を算出し、
前記第１の設定状態で取得された１回目の評価値と２回目の評価値とに基づいて前記収差補正光学系の第２〜ｎの設定状態の評価値を補正し、
前記第１の設定状態で取得された２回目の評価値と３回目の評価値とに基づいて前記収差補正光学系の第ｎ＋１〜ｍの回転位置における評価値を補正する
請求項１６に記載の顕微鏡。
【請求項１８】
補正環を有する対物レンズと、
試料からの光を検出する検出部と、
補正環制御部と、
を有する顕微鏡の前記補正環制御部で実行される方法であって、
前記補正環の複数の回転位置それぞれにおいて、予め基準画像を取得したときの、前記試料における前記対物レンズの焦点位置とほぼ同じ位置で複数の画像を取得し、前記回転位置それぞれの前記複数の画像に基づいて、前記回転位置毎の評価値を算出するステップと、
算出した複数の前記評価値に基づいて補正環の回転位置を決定するステップと、
を有し、
前記評価値は、前記複数の画像間の相関値、又は画像処理を施した前記複数の画像間の相関値であり、
前記基準画像とは、前記補正環を任意の位置に設定した状態で、前記焦点位置からの前記光を検出してなる画像である方法。
【請求項１９】
試料に照明光を照射する照明光学系と、
前記試料からの観察光を検出する検出部と、
前記照明光及び前記観察光の少なくとも一方の収差を補正する収差補正光学系と、
収差補正光学系制御部と、
を有する顕微鏡の前記収差補正光学系制御部で実行される方法であって、
前記収差補正光学系の複数の設定状態それぞれにおいて、予め基準画像を取得したときの、前記試料における前記照明光学系の焦点位置とほぼ同じ位置で複数の画像を取得し、前記設定状態それぞれの前記複数の画像に基づいて、前記設定状態毎の評価値を算出するステップと、
算出した複数の前記評価値に基づいて収差補正光学系の設定を決定するステップと、
を有し、
前記評価値は、前記複数の画像間の相関値、又は画像処理を施した前記複数の画像間の相関値であり、
前記基準画像とは、前記設定状態を任意に設定した状態で、前記焦点位置からの前記観察光を検出してなる画像である方法。
【請求項２０】
補正環を有する対物レンズと、
試料からの光を検出する検出部と、
補正環制御部と、
を有する顕微鏡の前記補正環制御部で実行される方法であって、
前記補正環の第１〜ｎ（ｎは２以上の整数）の回転位置それぞれにおいて評価値を算出するステップと、
前記第ｎの回転位置で前記評価値を算出した後に、前記第１の回転位置で２回目の評価値を算出するステップと、
前記第１の回転位置で取得された１回目の評価値と２回目の評価値とに基づいて前記補正環の第２〜ｎの回転位置における評価値を補正するステップと、
を有する方法。
【請求項２１】
試料に照明光を照射する照明光学系と、
前記試料からの観察光を検出する検出部と、
前記照明光及び前記観察光の少なくとも一方の収差を補正する収差補正光学系と、
収差補正光学系制御部と、
を有する顕微鏡の前記補正光学系制御部で実行される方法であって、
前記収差補正光学系の第１〜ｎ（ｎは２以上の整数）の設定状態それぞれにおいて評価値を算出するステップと、
前記第ｎの設定状態で前記評価値を算出した後に、前記第１の設定状態で２回目の評価値を算出するステップと、
前記第１の設定状態で取得された１回目の評価値と２回目の評価値とに基づいて前記収差補正光学系の第２〜ｎの設定状態における評価値を補正するステップと、
を有する方法。
【請求項２２】
補正環を有する対物レンズと、
試料からの光を検出する検出部と、
補正環制御部と、
を有する顕微鏡の前記補正環制御部で実行されるプログラムであって、
前記補正環制御部を、
前記補正環の複数の回転位置それぞれにおいて、予め基準画像を取得したときの、前記試料における前記対物レンズの焦点位置とほぼ同じ位置で複数の画像を取得し、前記回転位置それぞれの前記複数の画像に基づいて、前記回転位置毎の評価値を算出する手段、及び
算出した複数の前記評価値に基づいて補正環の回転位置を決定する手段
として機能させ、
前記評価値は、前記複数の画像間の相関値、又は画像処理を施した前記複数の画像間の相関値であり、
前記基準画像とは、前記補正環を任意の位置に設定した状態で、前記焦点位置からの前記光を検出してなる画像であるプログラム。
【請求項２３】
試料に照明光を照射する照明光学系と、
前記試料からの観察光を検出する検出部と、
前記照明光及び前記観察光の少なくとも一方の収差を補正する収差補正光学系と、
収差補正光学系制御部と、
を有する顕微鏡の前記収差補正光学系制御部で実行されるプログラムであって、
前記収差補正光学系制御部を、
前記収差補正光学系の複数の設定状態それぞれにおいて、予め基準画像を取得したときの、前記試料における前記照明光学系の焦点位置とほぼ同じ位置で複数の画像を取得し、前記設定状態それぞれの前記複数の画像に基づいて、前記設定状態毎の評価値を算出する手段、及び
算出した複数の前記評価値に基づいて収差補正光学系の設定を決定する手段
として機能させ、
前記評価値は、前記複数の画像間の相関値、又は画像処理を施した前記複数の画像間の相関値であり、
前記基準画像とは、前記設定状態を任意に設定した状態で、前記焦点位置からの前記観察光を検出してなる画像であるプログラム。
【請求項２４】
補正環を有する対物レンズと、
試料からの光を検出する検出部と、
補正環制御部と、
を有する顕微鏡の前記補正環制御部で実行されるプログラムであって、
前記補正環制御部を、
前記補正環の第１〜ｎ（ｎは２以上の整数）の回転位置それぞれにおいて評価値を算出する手段、
前記第ｎの回転位置で前記評価値を算出した後に、前記第１の回転位置で２回目の評価値を算出する手段、及び
前記第１の回転位置で取得された１回目の評価値と２回目の評価値とに基づいて前記補正環の第２〜ｎの回転位置における評価値を補正する手段
として機能させるプログラム。
【請求項２５】
試料に照明光を照射する照明光学系と、
前記試料からの観察光を検出する検出部と、
前記照明光及び前記観察光の少なくとも一方の収差を補正する収差補正光学系と、
収差補正光学系制御部と、
を有する顕微鏡の前記補正光学系制御部で実行されるプログラムであって、
前記補正光学系制御部を、
前記収差補正光学系の第１〜ｎ（ｎは２以上の整数）の設定状態それぞれにおいて評価値を算出する手段、
前記第ｎの設定状態で前記評価値を算出した後に、前記第１の設定状態で２回目の評価値を算出する手段、及び
前記第１の設定状態で取得された１回目の評価値と２回目の評価値とに基づいて前記収差補正光学系の第２〜ｎの設定状態における評価値を補正する手段
として機能させるプログラム。
【手続補正２】
【補正対象書類名】明細書
【補正対象項目名】０００４
【補正方法】変更
【補正の内容】
【０００４】
本発明の第一の態様に係る顕微鏡は、補正環を有する対物レンズと、試料からの光を検出する検出部と、補正環制御部と、を有し、前記補正環制御部は、前記補正環の複数の回転位置それぞれにおいて、予め基準画像を取得したときの、前記試料における前記対物レンズの焦点位置とほぼ同じ位置で複数の画像を取得し、前記回転位置それぞれの前記複数の画像に基づいて、前記回転位置毎の評価値を算出し、算出した複数の前記評価値に基づいて補正環の回転位置を決定し、前記評価値は、前記複数の画像間の相関値、又は画像処理を施した前記複数の画像間の相関値であり、前記基準画像とは、前記補正環を任意の位置に設定した状態で、前記焦点位置からの前記光を検出してなる画像である。
【手続補正３】
【補正対象書類名】明細書
【補正対象項目名】０００５
【補正方法】変更
【補正の内容】
【０００５】
本発明の第二の態様に係る顕微鏡は、試料に照明光を照射する照明光学系と、前記試料からの観察光を検出する検出部と、前記照明光及び前記観察光の少なくとも一方の収差を補正する収差補正光学系と、収差補正光学系制御部と、を有し、前記収差補正光学系制御部は、前記収差補正光学系の複数の設定状態それぞれにおいて、予め基準画像を取得したときの、前記試料における前記照明光学系の焦点位置とほぼ同じ位置で複数の画像を取得し、前記設定状態それぞれの前記複数の画像に基づいて、前記設定状態毎の評価値を算出し、算出した複数の前記評価値に基づいて収差補正光学系の設定を決定し、前記評価値は、前記複数の画像間の相関値、又は画像処理を施した前記複数の画像間の相関値であり、前記基準画像とは、前記設定状態を任意に設定した状態で、前記焦点位置からの前記観察光を検出してなる画像である。
【手続補正４】
【補正対象書類名】明細書
【補正対象項目名】０００８
【補正方法】変更
【補正の内容】
【０００８】
本発明の第一の態様に係る方法は、補正環を有する対物レンズと、試料からの光を検出する検出部と、補正環制御部と、を有する顕微鏡の前記補正環制御部で実行される方法であって、前記補正環の複数の回転位置それぞれにおいて、予め基準画像を取得したときの、前記試料における前記対物レンズの焦点位置とほぼ同じ位置で複数の画像を取得し、前記回転位置それぞれの前記複数の画像に基づいて、前記回転位置毎の評価値を算出するステップと、算出した複数の前記評価値に基づいて補正環の回転位置を決定するステップと、を有し、前記評価値は、前記複数の画像間の相関値、又は画像処理を施した前記複数の画像間の相関値であり、前記基準画像とは、前記補正環を任意の位置に設定した状態で、前記焦点位置からの前記光を検出してなる画像である。
【手続補正５】
【補正対象書類名】明細書
【補正対象項目名】０００９
【補正方法】変更
【補正の内容】
【０００９】
本発明の第二の態様に係る方法は、試料に照明光を照射する照明光学系と、前記試料からの観察光を検出する検出部と、前記照明光及び前記観察光の少なくとも一方の収差を補正する収差補正光学系と、収差補正光学系制御部と、を有する顕微鏡の前記収差補正光学系制御部で実行される方法であって、前記収差補正光学系の複数の設定状態それぞれにおいて、予め基準画像を取得したときの、前記試料における前記照明光学系の焦点位置とほぼ同じ位置で複数の画像を取得し、前記設定状態それぞれの前記複数の画像に基づいて、前記設定状態毎の評価値を算出するステップと、算出した複数の前記評価値に基づいて収差補正光学系の設定を決定するステップと、を有し、前記評価値は、前記複数の画像間の相関値、又は画像処理を施した前記複数の画像間の相関値であり、前記基準画像とは、前記設定状態を任意に設定した状態で、前記焦点位置からの前記観察光を検出してなる画像である。
【手続補正６】
【補正対象書類名】明細書
【補正対象項目名】００１２
【補正方法】変更
【補正の内容】
【００１２】
本発明の第一の態様に係るプログラムは、補正環を有する対物レンズと、試料からの光を検出する検出部と、補正環制御部と、を有する顕微鏡の前記補正環制御部で実行されるプログラムであって、前記補正環制御部を、前記補正環の複数の回転位置それぞれにおいて、予め基準画像を取得したときの、前記試料における前記対物レンズの焦点位置とほぼ同じ位置で複数の画像を取得し、前記回転位置それぞれの前記複数の画像に基づいて、前記回転位置毎の評価値を算出する手段、及び算出した複数の前記評価値に基づいて補正環の回転位置を決定する手段として機能させ、前記評価値は、前記複数の画像間の相関値、又は画像処理を施した前記複数の画像間の相関値であり、前記基準画像とは、前記補正環を任意の位置に設定した状態で、前記焦点位置からの前記光を検出してなる画像である。
【手続補正７】
【補正対象書類名】明細書
【補正対象項目名】００１３
【補正方法】変更
【補正の内容】
【００１３】
本発明の第二の態様に係るプログラムは、試料に照明光を照射する照明光学系と、前記試料からの観察光を検出する検出部と、前記照明光及び前記観察光の少なくとも一方の収差を補正する収差補正光学系と、収差補正光学系制御部と、を有する顕微鏡の前記収差補正光学系制御部で実行されるプログラムであって、前記収差補正光学系制御部を、前記収差補正光学系の複数の設定状態それぞれにおいて、予め基準画像を取得したときの、前記試料における前記照明光学系の焦点位置とほぼ同じ位置で複数の画像を取得し、前記設定状態それぞれの前記複数の画像に基づいて、前記設定状態毎の評価値を算出する手段、及び算出した複数の前記評価値に基づいて収差補正光学系の設定を決定する手段として機能させ、前記評価値は、前記複数の画像間の相関値、又は画像処理を施した前記複数の画像間の相関値であり、前記基準画像とは、前記設定状態を任意に設定した状態で、前記焦点位置からの前記観察光を検出してなる画像である。